(57)【特許請求の範囲】
【請求項１】
一側に付着面を有する付着パッド；
前記付着パッドの付着面の反対側に一定の左右幅で上下に長く延びた形態で配置され、上端が前記付着パッドの上側部位に固定されるストラップ；
前記ストラップを挟んで前記付着パッドの反対側に配置され、前記ストラップの下端に固定され、円柱状の突起胴体と前記突起胴体より大径であり端部を成す突起ヘッドとを備える係止突起；前記付着パッドとの間に上部部位が開口されて下部及び左右部位が閉鎖されたポケット領域を有して前記付着パッドの取付面の反対側に固定され、前記ストラップの下側部位を前記ポケット空間の上端開口に挿入した状態で上下移動を案内するように、前記ポケット空間の左右幅が、前記ストラップの下側部位の左右幅よりも広く形成されるポケット部材と、前記係止突起を挿入した状態で上下移動を案内するように一定の左右幅で上下に長く延びた前記ポケット部材に形成されたガイドホールと、前記ストラップが前記付着パッドと並んで広がった状態で前記係止突起を係止処理するように前記ガイドホールの下端に形成された下側係止ホールと、前記ストラップの下側部位が上側に押され、前記ストラップの中央部位が曲がった状態で前記係止突起を係止処理するように前記ガイドホールの上端に形成された上側係止ホールと、を備えるストラップガイド；を含み、
前記ガイドホールの左右幅は、前記突起ヘッドの左右幅よりも小さく、前記突起胴体の左右幅と同じか広く、
前記下側係止ホールは、前記突起胴体の径と同じ径を有する載置ホール部と、前記突起胴体の径よりも小さい幅であり、前記載置ホール部から延長されて前記ガイドホールと接続されている連結ホール部を備え、
前記上側係止ホールは、前記下側係止ホールと同じ形状で、前記ガイドホールを基準に前記下側係止ホールと対称するように形成されている
ことを特徴とする携帯端末機用ホルダー。
【請求項２】
前記付着パッドは、前記ポケット部材の左右幅より広い左右幅を有する
請求項１に記載の携帯端末機用ホルダー。
【請求項３】
前記ストラップは、前記付着パッドの上下中央線を基準にして一側に偏向して配置された
請求項２に記載の携帯端末機用ホルダー。
【請求項４】
前記付着パッドは、カードを収納するように形成されたカード収納口を含む
請求項２に記載の携帯端末機用ホルダー。
【請求項５】
前記ストラップの上端に結合されるリング部材をさらに含む
請求項１に記載の携帯端末機用ホルダー。
【発明の詳細な説明】
【技術分野】
【０００１】
本発明は、携帯端末機などに多様に使用できるマジックプッシュに関する。
【背景技術】
【０００２】
携帯端末機の一種であるセルラーフォンは、移動中にも音声通話及び無線通信が可能な個人用通信手段の一つとして多く活用されている。近来は、音声通話の他に、インターネット通信及びマルチメディア機能などのコンピューター支援機能を追加した知能型端末機であるスマートフォン、タブレットＰＣなどが主に活用されている。
【０００３】
一方、ユーザーは、携帯端末機を握って使用することが一般的である。ところが、スマートフォンなどの携帯端末機は、大きい画面のために幅が広い方であるので、手の小さいユーザーは、携帯端末機を片手で握って操作することが不便であり得る。また、携帯端末機を握って使用するとき、携帯端末機が手から滑ったり、他人とぶつかって携帯端末機を落とす場合、携帯端末機の破損又は故障を起こし得る。
【発明の概要】
【発明が解決しようとする課題】
【０００４】
本発明の課題は、ユーザーが多様な方式で使用できるようにし、便宜性を高めることができるマジックプッシュを提供することにある。
【課題を解決するための手段】
【０００５】
前記の課題を達成するための本発明に係るマジックプッシュは、付着パッド、ストラップ、係止突起、及びストラップガイドを含む。付着パッドは、一側に付着面を有する。ストラップは、付着パッドの付着面の反対側に上下に長く延びた形態で配置され、上端が付着パッドの上側部位に固定される。係止突起は、ストラップを挟んで付着パッドの反対側に配置され、ストラップの下端に固定される。ストラップガイドは、ストラップの下側部位を付着パッドとの上端開口に挿入した状態で上下移動を案内するように付着パッドの付着面の反対側に固定されるポケット部材と、係止突起を挿入した状態で上下移動を案内するようにポケット部材に形成されたガイドホールと、ストラップが付着パッドと並んで広がった状態で係止突起を係止処理するようにガイドホールの下端に形成された下側係止ホールと、ストラップの下側部位が上側に押され、ストラップの中央部位が曲がった状態で係止突起を係止処理するようにガイドホールの上端に形成された上側係止ホールとを備える。
【発明の効果】
【０００６】
本発明によると、携帯端末機を安定的に握った状態で使用することができる。本発明によると、携帯端末機を傾斜した状態で底に据え置いて使用することができる。本発明によると、ストラップの付着位置に応じて携帯端末機の据え置き角度を所望の角度に変更することができる。
【０００７】
本発明によると、携帯端末機をリング部材によって車両の内部に据え置いたり、首にかけておくことができ、マジックプッシュを鍵ホルダーとして使用することができる。よって、ユーザーが多様な方式で使用できるようにし、便宜性を高めることができる。
【図面の簡単な説明】
【０００８】
【図１】本発明の第１実施例に係るマジックプッシュに対する斜視図
【図２】図１に対する断面図
【図３】図１において、ストラップの中央部位が曲がった状態を示した斜視図
【図４】図３に対する断面図
【図５】図１のＡ領域を拡大して示した説明図
【図６】図１に示したマジックプッシュの多様な使用例の説明図
【図７】図１に示したマジックプッシュの多様な使用例の説明図
【図８】図１に示したマジックプッシュの多様な使用例の説明図
【図９】図１に示したマジックプッシュの多様な使用例の説明図
【図１０】図１に示したマジックプッシュの多様な使用例の説明図
【図１１】図１に示したマジックプッシュの多様な使用例の説明図
【図１２】本発明の第２実施例に係るマジックプッシュに対する斜視図
【図１３】図１２において、付着パッドのカード収納口に対するカードの収納及び引き出し過程を説明するための斜視図
【図１４】図１２に示したマジックプッシュによる携帯端末機の据え置き例の説明図
【図１５】図１２に示したマジックプッシュによる携帯端末機の据え置き例の説明図
【発明を実施するための形態】
【０００９】
以下では、本発明に対して添付の図面を参照して詳細に説明する。ここで、同一の構成に対しては同一の符号を付し、繰り返される説明、本発明の要旨を不明瞭にし得る公知の機能及び構成に対する詳細な説明は省略する。本発明の実施形態は、当業界で平均的な知識を有する者に本発明をより完全に説明するために提供されるものである。よって、図面における各要素の形状及び大きさなどは、より明確な説明のために誇張する場合がある。
【００１０】
図１は、本発明の第１実施例に係るマジックプッシュに対する斜視図である。図２は、図１に対する断面図である。図３は、図１において、ストラップの中央部位が曲がった状態を示した斜視図である。図４は、図３に対する断面図である。図５は、図１のＡ領域を拡大して示した図である。
【００１１】
図１〜図５を参照すると、本発明の第１実施例に係るマジックプッシュ１００は、付着パッド１１０、ストラップ１２０、係止突起１３０、及びストラップガイド１４０を含む。
【００１２】
付着パッド１１０は、一側に付着面を有する。付着パッド１１０の付着面には、両面テープなどの接着部材１１１が接着し得る。接着部材１１１の露出した接着面が携帯端末機用保護ケース１０の後面に接着することによって、付着パッド１１０は携帯端末機用保護ケース１０の後面に付着し得る。付着パッド１１０は、携帯端末機２０の後面に付着することも可能である。
【００１３】
他の例として、付着パッド１１０は、接着部材１１１の代わりに、ジェルタイプの粘着シートを備えることができる。この場合、付着パッド１１０は、携帯端末機用保護ケース１０又は携帯端末機２０に対して容易に着脱可能である。
【００１４】
付着パッド１１０は、形態を維持するために硬い材質の芯部材１１０ａを外皮１１０ｂで覆うように構成され得る。外皮１１０ｂは、ストラップ１２０の材質と同一の材質からなり得る。付着パッド１１０は、硬質のプラスチック、金属などの材質からなってもよい。また、付着パッド１１０は、四角形状からなる場合が示されているが、多様な形状からなってもよい。
【００１５】
図示していないが、他の例として、付着パッド１１０は永久磁石を内蔵してもよい。この場合、携帯端末機用保護ケース１０の後面又は携帯端末機２０の後面には、永久磁石と磁力でくっ付くことができる磁性金属パッドが付着し得る。付着パッド１１０に永久磁石が内蔵される場合、芯部材が省略されてもよい。
【００１６】
ストラップ１２０は、付着パッド１１０の付着面の反対側に上下に長く延びた形態で配置され、上端が付着パッド１１０の上側部位に固定される。ストラップ１２０の上側部位は、リベット１２１などによる締結方式で付着パッド１１０に固定され得る。他の例として、ストラップ１２０の上側部位は、裁縫方式で付着パッド１１０に固定されてもよい。
【００１７】
ストラップ１２０は屈曲可能に構成される。ストラップ１２０は、革材質からなり得るが、ゴム、ウレタン、シリコーンなどの材質からなってもよい。ストラップ１２０は、一定の左右幅を有するように形成され得る。ストラップ１２０は、付着パッド１１０の左右幅より狭い左右幅を有し得る。一方、ストラップ１２０の上下左右方向の設定は、説明の便宜のために例示したものであるので、例示したものに限定されない。
【００１８】
係止突起１３０は、ストラップ１２０を挟んで付着パッド１１０の反対側に配置され、ストラップの下端に固定される。係止突起１３０は、突起胴体１３１及び突起ヘッド１３２を備えることができる。突起胴体１３１は、一端がストラップ１２０を貫通してボルトとねじ結合されることによってストラップ１２０に固定され得る。突起胴体１３１は円柱形状からなり得る。
【００１９】
突起ヘッド１３２は、突起胴体１３１より広い断面積を有するように突起胴体１３１の他端に形成される。突起ヘッド１３２は、突起胴体１３１より大きい直径を有する円柱形状からなり得る。ここで、突起ヘッド１３２は、突起胴体１３１に同軸をなすように形成され得る。突起ヘッド１３２は、突出端のコーナーが面取りされた形態からなり得る。
【００２０】
ストラップガイド１４０は、ポケット部材１４１、ガイドホール１４２、下側係止ホール１４３、及び上側係止ホール１４４を備える。ポケット部材１４１は、ストラップ１２０の下側部位を付着パッド１１０との上端開口に挿入した状態で上下移動を案内するように付着パッド１１０の付着面の反対側に固定される。ポケット部材１４１は、付着パッド１１０との間で上端部位が開口され、下端部位及び左右側部位が閉鎖され得る。よって、ポケット部材１４１は、付着パッド１１０との間に上端が開口されたポケット空間１４１ａを有し得る。ポケット部材１４１は、下端及び左右側の縁部が裁縫方式などによって付着パッド１１０に固定され得る。勿論、ポケット部材１４１は、接着剤によって付着パッドに接着してもよい。ポケット部材１４１は、ストラップ１２０と同様に、革材質、ゴム、ウレタン、シリコーンなどの多様な材質からなり得る。ポケット部材１４１は四角形状からなり得る。
【００２１】
ポケット部材１４１は、ストラップ１２０の左右幅より広く、付着パッド１１０の左右幅と同一の左右幅を有し得る。よって、ポケット空間１４１ａの左右幅がストラップ１２０の左右幅より広くなり、ストラップ１２０の下側部位がポケット空間１４１ａ内で上下に円滑に移動できるようになる。ガイドホール１４２は、係止突起１３０を挿入した状態で上下移動を案内するようにポケット部材１４１に形成される。ガイドホール１４２は、一定の左右幅を有して上下に長く延長され得る。ガイドホール１４２の左右幅は、突起ヘッド１３２の左右幅より小さく、突起胴体１３１の左右幅と同一かそれより広くなり得る。よって、係止突起１３０がガイドホール１４２に挿入されて上下に移動するとき、離脱が防止され得る。
【００２２】
下側係止ホール１４３は、ストラップ１２０が付着パッド１１０と並んで広がった状態で係止突起１３０を係止処理するようにガイドホール１４２の下端に形成される。下側係止ホール１４３は、突起胴体１３１の直径と同一の直径を有する載置ホール部１４３ａ、及び突起胴体１３１の直径より小さい幅を有し、載置ホール部１４３ａから延びてガイドホール１４２と連結される連結ホール部１４３ｂを含み得る。
【００２３】
この場合、突起胴体１３１は、ガイドホール１４２から連結ホール部１４３ｂを経て載置ホール部１４３ａに挿入され得る。この状態で、突起胴体１３１は、連結ホール部１４３ｂに係止され、載置ホール部１４３ａにロッキング方式で維持され得る。よって、係止突起１３０が下側係止ホール１４３に係止処理されると、ストラップ１２０は、付着パッド１１０と並んで広がった状態に維持され得る。
【００２４】
上側係止ホール１４４は、ストラップ１２０の下側部位が上側に押され、ストラップ１２０の中央部位が曲がった状態で係止突起１３０を係止処理するようにガイドホール１４２の上端に形成される。上側係止ホール１４４は、下側係止ホール１４３と同一の形状からなり得る。上側係止ホール１４４の載置ホール部１４４ａ及び連結ホール部１４４ｂは、下側係止ホール１４３の載置ホール部１４３ａ及び連結ホール部１４３ｂと同一の形状からなり得る。
【００２５】
上側係止ホール１４４は、ガイドホール１４２を挟んで下側係止ホール１４３の反対側に配置され、ガイドホール１４２に連結される。ここで、上側係止ホール１４４は、ガイドホール１４２を基準にして下側係止ホール１４３と対称に形成される。よって、係止突起１３０が上側係止ホール１４４に係止処理されると、ストラップ１２０は、中央部位が曲がった状態に維持され得る。
【００２６】
一方、マジックプッシュ１００はリング部材１５０をさらに含み得る。リング部材１５０は、ストラップ１２０の上端に結合され得る。リング部材１５０は、ストラップ１２０に対して回転できるようにストラップ１２０の上端の連結ホールに挿入されて結合され得る。リング部材１５０はＤ字状に例示されているが、多様な形状からなり得る。
【００２７】
以下では、上述したマジックプッシュ１００の使用例に対して、図１〜図５と共に、図６〜図１２を参照して説明する。ここで、マジックプッシュ１００は、携帯端末機用保護ケース１０の後面に付着した場合を例に挙げているが、携帯端末機２０に付着した場合にも同一の方式で使用可能である。
【００２８】
まず、図１に示したように、マジックプッシュ１００は、ユーザーによって付着パッド１１０を通じて携帯端末機用保護ケース１０の後面に付着した状態である。そして、係止突起１３０が下側係止ホール１４３に係止処理され、ストラップ１２０は付着パッド１１０と並んで広がった状態である。
【００２９】
この状態で、図３に示したように、ユーザーは、係止突起１３０をガイドホール１４２に沿って上側係止溝１４４に押して係止処理する。この過程で、ストラップ１２０の下側部位がポケット部材１４１のポケット空間１４１ａ内で上方に移動するようになり、それによって、ストラップ１２０の中央部位が付着パッド１１０の付着面の反対側から凸状に曲がり、リング状の空間を作った状態に維持される。その結果、図６に示したように、ユーザーは、ストラップ１２０のリング状の空間に指３０をかけて携帯端末機用保護ケース１０を握ることができるので、携帯端末機用保護ケース１０に装着された携帯端末機２０を片手で握った状態で安定的に使用できるようになる。
【００３０】
その後、ストラップ１２０を上述した形態でこれ以上使用する必要がなくなると、図１に示したように、ユーザーは、係止突起１３０をガイドホール１４２に沿って下側係止溝１４３に押して係止処理する。この過程で、ストラップ１２０の下側部位がポケット部材１４１のポケット空間１４１ａ内で下方に移動するようになり、それによって、ストラップ１２０の中央部位が付着パッド１１０と並んで広がった状態に維持される。
【００３１】
他の例として、図７及び図８に示したように、ユーザーが上述した過程を通じてストラップ１２０の中央部位をリング状に作った後、マジックプッシュ１００を底に置くと、携帯端末機２０を傾斜した状態で据え置くスタンドとしての機能をすることができる。このとき、マジックプッシュ１００は、ユーザーによって携帯端末機用保護ケース１０の上下中央線を基準にして一側に偏向して携帯端末機用保護ケース１０に付着した状態であり得る。
【００３２】
この場合、マジックプッシュ１００の左右側部位が上下に横たわった状態で、ユーザーがマジックプッシュ１００の左右側部位のうちいずれの部位を底に置くのかによって携帯端末機２０の据え置き角度が変わり得る。また、ユーザーがマジックプッシュ１００を携帯端末機用保護ケース１０に付着する位置に応じて携帯端末機２０の据え置き角度が変わり得る。よって、ユーザーは、携帯端末機２０の据え置き角度を所望の角度に変更することができる。
【００３３】
他の例として、図９に示したように、マジックプッシュ１００がリング部材１５０を備える場合、ユーザーは、リング部材１５０を用いて車両の内部にマジックプッシュ１００をかけておくことができる。このために、車両の内部に据え置きホルダー４０を付着させることができる。据え置きホルダー４０は、ホルダーパッド４１及びホルダー突起４２を含む。ホルダーパッド４１は、接着部材によって車両の内部に付着し得る。ホルダー突起４２は、係止突起１３０と同一の形状からなり、ホルダーパッド４１に固定され得る。
【００３４】
ユーザーがリング部材１５０をホルダー突起４２にかけると、マジックプッシュ１００を据え置きホルダー４０にかけることができるので、携帯端末機２０は車両の内部に据え置くことができる。ユーザーがリング部材１５０をホルダー突起４２から分離すると、マジックプッシュ１００が据え置きホルダー４０から分離され得るので、携帯端末機２０は、車両の内部に据え置かれた状態から解除され得る。
【００３５】
他の例として、図１０に示したように、ユーザーは、リング部材１５０にネックレースストラップ５０を挿入することができる。よって、ユーザーは、ネックレースストラップ５０によって携帯端末機２０を首にかけて使用することができる。
【００３６】
更に他の例として、図１１に示したように、リング部材１５０に鍵６０を挿入することによって、マジックプッシュ１００を鍵ホルダーとして使用することができる。この場合、付着パッド１１０は、ジェルタイプの粘着シートや永久磁石を備えることによって、マジックプッシュ１００を冷蔵庫などに対して着脱して使用することができる。或いは、鍵６０を挿入したマジックプッシュ１００を車両の内部などに据え置くこともできる。
【００３７】
図１２は、本発明の第２実施例に係るマジックプッシュに対する斜視図である。図１３は、図１２において、付着パッドのカード収納口に対するカードの収納及び引き出し過程を説明するための斜視図である。図１４及び図１５は、図１２に示したマジックプッシュによる携帯端末機の据え置き例を説明するための図である。
【００３８】
図１２を参照すると、本発明の第２実施例に係るマジックプッシュ２００において、付着パッド２１０は、ポケット部材１４１の左右幅より広い左右幅を有する。よって、付着パッド２１０は、増大した付着面積で携帯端末機用保護ケース１０又は携帯端末機２０の後面に安定的に付着し得る。
【００３９】
付着パッド２１０は、カード７０の左右幅より広い左右幅を有し、カード７０の上下長さより長い上下長さを有し得る。この場合、付着パッド２１０は、カード７０を収納するように形成されたカード収納口２１６を含み得る。
【００４０】
例えば、付着パッド２１０は、上端が開口され、下端及び左右側の縁部が閉鎖されるように結合された２枚のシート部材２１７ａ、２１７ｂを含み得る。ここで、各シート部材２１７ａ、２１７ｂは、下端及び左右側の縁部が裁縫方式などによって結合され得る。勿論、各シート部材２１７ａ、２１７ｂは、接着剤によって互いに接着してもよい。各シート部材２１７ａ、２１７ｂ間の内部空間がカード収納口２１６を形成する。
【００４１】
付着パッド２１０は、下端の一部に切開溝２１８を有し得る。切開溝２１８は、カード収納口２１６と通じるように形成される。切開溝２１８は半円状からなり得る。図１３に示したように、カード収納口２１６にカード７０が収納された状態で、ユーザーは、切開溝２１８を介してカード７０を上方に押し出すことによって、カード７０をカード収納口２１６から容易に取り出せるようになる。
【００４２】
ストラップ１２０は、付着パッド２１０の上下中央線を基準にして一側に偏向して配置され得る。この場合、図１４及び図１５に示したように、ストラップ１２０の左右側部位が上下に横たわった状態で、ユーザーがストラップ１２０の左右側部位のうちいずれの部位を底に近く置くのかによって携帯端末機用保護ケース１０内の携帯端末機２０の据え置き角度が変わるようになる。よって、ユーザーは、携帯端末機２０の据え置き角度を所望の角度に変更することができる。
【００４３】
本発明は、添付の図面に示した一実施例を参考にして説明したが、これは例示的なものに過ぎなく、当該技術分野で通常の知識を有する者であれば、これから多様な変形及び均等な他の実施例が可能である。よって、本発明の真の保護範囲は、添付の特許請求の範囲によってのみ定められる。
【産業上の利用可能性】
【００４４】
本発明に係るマジックプッシュは、携帯端末機などに付着するので携帯端末機を安全に携帯することができ、携帯端末機を底に立てておくことができる。
【図１】
0006576475.tif 000002
【図２】
0006576475.tif 000003
【図３】
0006576475.tif 000004
【図４】
0006576475.tif 000005
【図５】
0006576475.tif 000006
【図６】
0006576475.tif 000007
【図７】
0006576475.tif 000008
【図８】
0006576475.tif 000009
【図９】
0006576475.tif 000010
【図１０】
0006576475.tif 000011
【図１１】
0006576475.tif 000012
【図１２】
0006576475.tif 000013
【図１３】
0006576475.tif 000014
【図１４】
0006576475.tif 000015
【図１５】
0006576475.tif 000016